(57)【要約】【課題】時間帯録画の録画開始時刻および／または録画終了時刻に放送が跨る番組の頭切れおよび／または尻切れを防止する。【解決手段】実施形態の電子機器は、第１録画予約情報記憶部、第２録画予約記憶部、予約制御部、記録部を備える。第１録画予約情報記憶部には複数のチャンネルで放送される番組を、時間帯を指定して一括して予約録画するための第１録画予約情報が記憶されている。第１録画予約情報に対し予約録画の開始／終了を補助するための第２録画予約情報が記憶される。予約制御部は予め取得した放送予定の番組情報より番組の放送情報を抽出し、時間帯録画の開始時刻および／または終了時刻に放送が跨る番組の予約録画の開始時刻および／または終了時刻を、当該番組の放送時刻に補正した第２録画予約情報を生成し第２録画予約記憶部に記憶する。記録部は第１および第２録画予約情報を基に番組を記録する。【選択図】図１
2020088541.tif 000002
【特許請求の範囲】
【請求項１】
複数のチャンネルで放送される番組を、時間帯を指定して一括して予約録画するための第１録画予約情報が記憶された第１録画予約情報記憶部と、
前記第１録画予約情報に対し予約録画の開始／終了を補助するための第２録画予約情報が記憶される第２録画予約記憶部と、
予め取得した放送予定の番組情報より番組の放送時刻を抽出し、前記時間帯の録画開始時刻および／または録画終了時刻に放送が跨る番組の予約録画の開始時刻および／または終了時刻を、当該番組の放送時刻に補正した第２録画予約情報を生成し、前記第２録画予約記憶部に記憶する予約制御部と、
複数のチャンネルで放送される番組を録画することが可能であり、前記第１および第２録画予約情報を基に番組を記録する記録部と
を具備する電子機器。
【請求項２】
前記予約制御部は、
前記第１録画予約情報に設定されている時間帯のうち録画開始時刻より前に始まる番組の放送開始時刻を、前記録画開始時刻として設定した第２録画予約情報を生成する請求項１記載の電子機器。
【請求項３】
前記予約制御部は、
前記第１録画予約情報に設定されている時間帯のうち録画終了時刻より後に終わる番組の放送終了時刻を、前記録画終了時刻として設定した第２録画予約情報を生成する請求項１または２いずれか記載の電子機器。
【請求項４】
前記予約制御部は、
時間帯の録画時刻と番組の放送時刻とのずれが生じている差分の時間が予め設定された許容時間以内の場合、予約録画情報を補正する第２録画予約情報を生成し、前記許容時間を超える場合は前記第２録画予約情報を生成しない請求項１記載の電子機器。
【請求項５】
複数のチャンネルで放送される番組を、時間帯を指定して一括して予約録画するための第１録画予約情報を記憶し、
予め取得した放送予定の番組情報より番組の放送時刻を抽出し、前記時間帯の録画開始時刻および／または録画終了時刻に放送が跨る番組の予約録画の開始時刻および／または終了時刻を、当該番組の放送時刻に補正した第２録画予約情報を生成し、
前記第１および第２録画予約情報を基に番組を記録する、電子機器の番組記録方法。
【発明の詳細な説明】
【技術分野】
【０００１】
本発明の実施形態は、電子機器および番組記録方法に関する。
【背景技術】
【０００２】
近年、１以上のチャンネルや録画する時間帯を予め指定しておくことで、番組を自動的に録画する、いわゆる全録機能（丸録機能またはタイムシフトマシン録画機能などともいう）を有する録画機（以下「全録機」と称す）が普及してきている。
【０００３】
この全録機は、ユーザが指定したチャンネルや時間帯で丸ごと録画するので、ユーザは番組表から一々番組を選択して予約する必要が無く、また過去に遡って、過去番組表から番組を選択視聴できる等、ユーザ便利性の高い機能である。
【先行技術文献】
【特許文献】
【０００４】
【特許文献１】特開２００８−２４５３２４号公報
【特許文献２】特開２００９−１６９５９号公報
【発明の概要】
【発明が解決しようとする課題】
【０００５】
しかしながら、従来の全録機において、ユーザが設定した時間帯（開始時刻、終了時刻）に基づき、各チャンネルを一斉に録画開始および録画終了するため、この時間帯（録画開始時刻または録画終了時刻）に跨がって放送される番組は、番組の冒頭や末尾が欠けて録画されてしまい、ユーザが後で番組を視聴したときに、部分的に見られない事態が生じるという問題があった。
【０００６】
例えばタイムシフトマシン機能での時間帯の録画設定で、録画開始時刻の予約を２１時に設定した場合、２０：５０から始まる番組は、頭切れとなり、これが例えばドラマなどの起承転結で構成された番組であるならば「起」の部分が見られず、ドラマの背景が分からずに不満の残る結果となる。また、ユーザが時間帯の録画設定の際に録画終了時刻を２２時に設定した場合、２２：１０に終了する番組は、尻切れとなり、同様に「結」の部分が見られず、肝心の結末が分からずに不満が残る結果となる。
【０００７】
本発明が解決しようとする課題は、時間帯録画の録画開始時刻および／または録画終了時刻に放送が重なる番組の頭切れおよび／または尻切れを防止することができる電子機器および番組記録方法を提供することにある。
【課題を解決するための手段】
【０００８】
実施形態の電子機器は、第１録画予約情報記憶部、第２録画予約記憶部、予約制御部、記録部を備える。第１録画予約情報記憶部には複数のチャンネルで放送される番組を、時間帯を指定して一括して予約録画するための第１録画予約情報が記憶されている。第１録画予約情報に対し予約録画の開始／終了を補助するための第２録画予約情報が記憶される。予約制御部は取得した放送予定の番組情報より番組の放送情報を抽出し、時間帯の録画開始時刻および／または録画終了時刻に放送が跨る番組の予約録画の開始時刻および／または終了時刻を、当該番組の放送時刻に補正した第２録画予約情報を生成し、第２録画予約記憶部に記憶する。記録部は複数のチャンネルで放送される番組を録画することが可能であり、前記第１および第２録画予約情報を基に番組を記録する。
【図面の簡単な説明】
【０００９】
【図１】実施形態の録画再生装置の構成を示す図である。
【図２】全録予約テーブルを示す図である。
【図３】ＥＰＧを示す図である。
【図４】補助予約テーブルを示す図である。
【図５】録画情報テーブルを示す図である。
【図６】タイムシフトマシン録画設定画面を示す図である。
【図７】閾値設定画面を示す図である。
【図８】この録画再生装置の動作を示すフローチャートである。
【図９】タイムシフトマシン過去番組表を示す図である。
【図１０】タイムシフトマシン過去番組表を生成および表示する動作を示すフローチャートである。
【図１１】タイムシフトマシン過去番組表に不成立番組を示す番組欄の一例を示す図である。
【図１２】番組欄の他の表示例を示す図である。
【図１３】図７の閾値設定画面で「１．前後各１０分以内（固定）」、「２．前後各３０分以内（固定）」、「３．前後各６０分以内（固定）」のいずれかが設定された場合の動作を示すフローチャートである。
【図１４】図７の閾値設定画面で「４．前後合計２０分以内」、「５．前後合計３０分以内」、「６．前後合計６０分以内」のいずれかが設定された場合の動作を示すフローチャートである。
【図１５】図７の閾値設定画面で「７．各番組長で設定」が設定された場合の動作を示すフローチャートである。
【図１６】図７の閾値設定画面で「８．録画時間帯長で設定」が設定された場合の動作を示すフローチャートである。
【発明を実施するための形態】
【００１０】
以下、図面を参照して、実施形態を詳細に説明する。 
図１は一つの実施の形態の電子機器を示す図である。
【００１１】
実施形態の電子機器は、記憶装置６７やディスプレイ２６、スピーカ３６が接続され、例えば任意の時間帯に放送事業者が放送する任意数の番組を録画（記録）し再生可能な録画再生装置１（図１参照）である。この録画再生装置１は、例えば録画再生用の記録媒体（ブルーレイディスクなど）のドライブ装置を搭載したレコーダ（これを「ＢＤレコーダ」と称す）やレコーダの機能を内蔵したテレビジョン装置であってもよい。また、テレビジョン装置は、番組を受信可能なパーソナルコンピュータ（ＰＣ）や表示部を有する携帯可能な端末装置であってもよい。
【００１２】
なお、番組は、配信事業者がネットワークなどを通じて配信するコンテンツであってもよい。また、番組は、ユーザがアクセスした場合、所定の条件に基づいて取得可能に情報供給元が用意するコンテンツであってもよい。さらに、番組は、ストリームあるいは情報と称する場合もある。また、番組は、映像および映像に付属する音声や音楽からなる。映像は、動画と静止画またはテキスト（コード化された符号列で示される文字や記号などで表される情報）の少なくとも１つを含む。
【００１３】
図１に示すように、録画再生装置１は、入力部（チューナ部）１１、信号処理部（ＴＳ分離部）１２、映像処理ブロック２１、音声処理ブロック３１および主制御ブロック５１などを有する。
【００１４】
主制御ブロック５１は、ＣＰＵ（主処理回路）５２、ＲＯＭ（読出専用メモリ）５３、ＲＡＭ（ランダムアクセスメモリ（ワークメモリ））５４、ＮＶＭ（不揮発性（書き換え可能）メモリ）５５、録画部としての記録再生処理部５６、番組情報取得部５７、番組表生成部５８、予約制御部５９、番組判定部６０などを含む。主制御ブロック５１は、後段に説明する操作部６１、受信部６２、通信インターフェース６３、ネットワーク制御部６４、ＵＳＢインターフェース６５、６６、ＨＤＭＩインターフェース６８および記憶装置６７などと接続し、それぞれの動作を制御する。なお、インターフェースを、図１では「Ｉ／Ｆ」と省略して示す。ＨＤＭＩは登録商標である。
【００１５】
入力部１１は、アンテナＡＮＴと接続し、空間波、例えば送信局からの地上波もしくは放送衛星（ＢＳ（Broadcasting Satellite）または通信衛星ＣＳ（Communication Satellite））が中継する衛星波の何れかである放送信号すなわち番組を受信する。入力部１１は、また、例えばＳＴＢ（Set Top Box）を経由する外部入力コンテンツ（番組）を受信する。なお、入力部１１は、例えばビデオカメラが提供する映像も取得できる。
【００１６】
入力部１１は、例えば７チャンネルの番組を選局できる７つのチューナを有する。各チューナの中には、地上／ＢＳ／ＣＳデジタル放送の番組のいずれかを選局できる３波チューナが含まれるものとし、割り当て設定を行うことにより、タイムシフトマシン機能による自動予約録画（ループ録画）や所望の番組の個別予約による録画（通常の録画）などに割り当てることができる。
【００１７】
この例では、７チャンネルのうち６チャンネルをループ録画に割り当て、残りの１チャンネルを通常の録画に割り当てる設定の例で説明する。なお、入力部１１は、チューナを増設することで、今以上のチャンネルの番組を受信（選局）可能とすることができる。
【００１８】
信号処理部（ＴＳ分離部）１２は、入力部１１が受信して選局した任意のチャンネルの放送すなわち番組を、ＴＳ（Transport Stream）すなわち映像信号（Video）、音声信号（Audio）および制御情報に分離する。なお、制御情報は、例えばＴＳ（ストリーム）の分配規則やＴＳの内容（番組の説明）、放送スケジュールあるいは再放送の番組である、といった情報を記述したＰＳＩ（Program Specific Information）もしくはＳＩ（Service Information）すなわち番組配列情報、等を含む。
【００１９】
映像信号（Video）は、映像処理ブロック２１の映像デコーダ２２がデコードし、デジタル映像信号（ビデオ出力）として出力する。また、映像処理ブロック２１には、表示部（ディスプレイ）２６が接続する。なお、ディスプレイ２６は、録画再生装置１と別体であってもよい。
【００２０】
映像処理ブロック２１は、映像（Video）デコーダ２２、映像（Video）処理部２３、ＯＳＤ（On Screen Display）処理部２４および表示制御部２５などを含む。
【００２１】
映像処理部２３は、映像デコーダ２２がデコードしたデジタル映像信号（Video）を、ディスプレイ２６が表示（再生）可能な所定の解像度および出力方式に変換する。
【００２２】
ＯＳＤ処理部２４は、後段に説明する番組表生成部５８が生成する番組表データに基づく番組表表示信号を、表示制御部２５がディスプレイ２６に出力する映像信号（Video）と重ね合わせて表示可能に、表示制御部２５に出力する。
【００２３】
なお、番組表表示信号を重ね合わせる映像信号は、例えばＧＵＩ（Graphical User Interface）表示のための黒画面表示信号などである場合もある。また、番組表表示信号は、映像信号（Video）に基づいてディスプレイ２６が表示する画面表示の一部を透過可能に生成されてもよい。
【００２４】
表示制御部２５は、映像処理部２３が変換した映像信号を、ディスプレイ２６における好適な表示（映像再生）が可能な表示駆動信号に変換する。表示制御部２５はまた、映像処理部２３からの表示駆動信号にＯＳＤ処理部２４からのＯＳＤ（On Screen Display）信号を重ね合わせる。なお、表示制御部２５の出力は、例えば外部に接続する外部モニタ装置、あるいは投影装置（プロジェクタ装置）等が接続可能な出力端２７に出力されてもよい。
【００２５】
音声処理ブロック３１は、音声（Audio）デコーダ３２、音声（Audio）処理部３３、遅延部３４およびＤ−Ａ（Digital to Analog）コンバータ３５などを含む。また、音声処理ブロック３１には、スピーカ３６が接続される。なお、スピーカ３６は、録画再生装置１と一体であっても別体であってもよい。
【００２６】
音声処理部３３は、音声デコーダ３２がデコードした音声信号（Audio）を、スピーカ３６による好適な再生が可能な所定の形式に変換する。音声信号については、Ｄ−Ａコンバータ３５において、さらにアナログ音声出力信号に変換する。これにより、Ｄ−Ａコンバータ３５にスピーカ３６を接続した場合、スピーカ３６が可聴音（アナログ音声（Audio）出力）を出力する。
【００２７】
なお、Ｄ−Ａコンバータ３５の出力は、例えばＡＶ（Audio Visual）アンプなどが接続可能な出力端３７に分岐してもよい。また、Ｄ−Ａコンバータ３５に入力する音声信号は、コンテンツの種類に対応して遅延部３４が所定の遅延（時間）を与える。例えばコンテンツがゲームである場合、遅延部３４が規定する遅延（時間）の大きさ（長さ）は、番組を再生する場合に適用する遅延（時間）の大きさ（長さ）よりも小さい（短い）。
【００２８】
操作部６１は、ユーザによる直接操作、例えば番組を視聴、録画予約するためのＥＰＧ（電子番組表）表示、ＥＰＧ（電子番組表）からテレビ放送（番組）のチャンネル（放送局）の選択、番組の録画開始（ＲＥＣ）、録画済みの番組を再生するための番組のリスト表示（過去番組表）、過去番組表から録画した番組を再生するための選択（上下左右の方向指示）や再生開始（ＰＬＡＹ）などに対応する制御コマンドを主制御ブロック５１に入力する。
【００２９】
受信部６２は、リモートコントローラ７１（以下「リモコン７１」と称す）からの指示（操作入力）、例えばチャンネル（放送局）の選択（選局）、録画開始（ＲＥＣ）、録画した番組の再生（ＰＬＡＹ）、一時停止（ＰＡＵＳＥ）、特殊再生、あるいはメニュー表示等に対応するコマンドを主制御ブロック５１に入力する。
【００３０】
なお、リモコン７１は、後段に説明するカラーボタン表示に対応する制御指示の入力のための対応する［青］キー７１Ｂ、［赤］キー７１Ｒ、［緑］キー７１Ｇおよび［黄］キー７１Ｙを含む。
【００３１】
通信インターフェース６３は、例えばＷｉＦｉ（Wireless Fidelity）規格等に準拠する近距離無線通信機器との間の無線通信を実現する。なお、近距離無線通信規格としては、例えばBluetooth（登録商標）規格やＮＦＣ（Near Field Communication）等も利用可能である。
【００３２】
通信インターフェース６３は、例えばタブレット端末（スマートフォンや、携帯可能なＰＣ（パーソナルコンピュータ））との間の直接通信を行う。この通信インターフェース６３は、有線方式／無線方式のいずれであってもよく、例えば無線方式のカード媒体との間の非接触通信が可能な通信ユニット（リーダ／ライタ）８１などが接続される。なお、通信ユニット８１は、例えばワイヤレスキーボードやマウス等との間の無線方式／有線方式の信号の受け渡しを可能とする個別のインターフェースであってもよい。
【００３３】
ネットワーク制御部６４は、外部ネットワークＮＴＷへのアクセスと外部ネットワークＮＴＷ上のさまざまなサービスサーバー、例えばＴｉｍｅＯｎサーバーやＳＮＳ（Social Network Service）サーバーからの情報の取得のための入力情報の送信や情報の取得（受信）、等を制御する。
【００３４】
ＵＳＢインターフェース６５、６６は、ＵＳＢ規格に対応する記憶装置６、７（ＵＳＢ接続形ハードディスクドライブ：ＵＳＢＨＤＤ）や外部装置、例えばキーボード等の利用を可能とする。これら記憶装置６、７は、設定により記憶領域をさまざまに利用することができる。
【００３５】
例えばＵＳＢインターフェース６５に接続した記憶装置６には、ユーザが指定する特定のチャンネル（放送事業者や配信事業者）および所定の時間帯の番組を一定期間の間、全て記録するタイムシフトマシン機能（全番組録画機能：「全録機能」または「ループ録画機能」ともいう）による録画が可能である。
【００３６】
また、ＵＳＢインターフェース６６に接続した記憶装置７には、ユーザが電子番組表（ＥＰＧ）から個別に指定した番組を予約録画または手動録画することができる。なお、この例では外付けの記憶装置を２つ接続した例について説明したが、内蔵の記憶装置と外付けの記憶装置の組み合わせであってもよく、外付けの記憶装置を３つ以上接続してもよい。
【００３７】
ＨＤＭＩインターフェース６８は、ＨＤＭＩ（High-definition Digital Media Interface（登録商標））規格またはＭＨＬ（Mobile High-definition Link）規格を利用する機器相互間の有線通信を可能とする。
【００３８】
このＨＤＭＩインターフェース６８には、録画再生装置１と独立に番組を記録するレコーダ、あるいはホームサーバーを用いるホームネットワークにおいてホームサーバーと接続する他のレコーダやテレビ装置が接続される。
【００３９】
これにより、録画再生装置１が受信して記憶装置６、７に記録した番組（音声を含む映像データ）をホームサーバーと接続する他のテレビ装置にて視聴可能である。また、録画再生装置１は、レコーダあるいはホームサーバーと接続する他のレコーダが記録した番組を再生できる。
【００４０】
記憶装置６７には、全録機能により予約録画するための全録予約テーブル６７ａ（図２参照）と、補助録画予約テーブル６７ｂ（図４参照）と、録画された番組の属性情報である録画情報テーブル６７ｃ（図５参照）などが記憶されている。
【００４１】
全録予約テーブル６７ａは、複数のチャンネルで放送される番組を、時間帯を指定して一括して予約録画するための録画予約情報（第１録画予約情報）が記憶された第１録画予約情報記憶部として機能する。補助録画予約テーブル６７ｂは、全録予約テーブル６７ａの録画予約情報に対し予約録画の開始／終了を補助するための第２録画予約情報である補助録画予約情報が記憶される第２録画予約記憶部として機能する。
【００４２】
これらテーブルの情報は、番組情報取得部５７により取得されたＥＰＧデータから抽出した番組の放送情報を基に設定される。なお、録画予約情報の登録／削除などについては、後に説明する予約制御部５９が受け持つ（予約制御部５９が録画予約情報の登録／削除などを行う）。
【００４３】
図２に示すように、全録予約テーブル６７ａには、図６のタイムマシン録画設定画面９０により指定された時間帯が設定される。この例では、録画開始時間が１９：００、録画終了時間が２２：００と設定され、図３のＥＧＰ２０１では午後７時（図６の「ＰＭ７」の時間帯の始め）〜午後１０時（図６の「ＰＭ９」の時間帯の終り）の間が全録対象の時間帯とされる。
【００４４】
図４に示すように、補助予約テーブル６７ｂには、全録予約テーブル６７ａで指定された時間帯に番組の放送時刻が跨る番組の録画予約情報が記憶される。
【００４５】
この例では、録画日「２０１８／９／４」に録画予約されている全録時間帯のうち録画開始時刻「１９：００」に、番組ＩＤ「３００２２」の番組「バラエティＡ」の放送が跨るため、そのチャンネルの録画開始時刻を番組「バラエティＡ」の放送開始時刻「１８：５０」に早めて録画を開始するよう遡及録画の予約が設定されている。この補助予約テーブル６７ｂでは、番組「バラエティＡ」の放送終了時刻は、全録時間帯の録画終了時刻を跨がないため、設定なし「−」とされている。設定なし「−」の場合は、録画は、全録予約テーブル６７ａの時間帯が優先されるため、このチャンネルについては、放送開始時刻「１８：５０」から録画終了時刻「２２：００」まで録画されることになる。
【００４６】
また、録画日「２０１８／９／４」に録画予約されている全録時間帯のうち録画終了時刻「２２：００」に、番組ＩＤ「３００４３」の番組「映画Ｂ」の放送が跨って放送終了時刻「２２：３０」に終了するため、そのチャンネルの録画終了時刻を「２２：３０」に遅らせて録画を終了するよう延長録画の予約が設定されている。この補助予約テーブル６７ｂでは、番組「映画Ｂ」の放送開始時刻は、全録時間帯の録画開始時刻を跨がないため、設定なし「−」とされている。設定なし「−」の場合は、録画は、全録予約テーブル６７ａの時間帯が優先されるため、このチャンネルについては、放送開始時刻「１９：００」から録画終了時刻「２２：３０」まで録画されることになる。
【００４７】
さらに、録画日「２０１８／９／４」に録画予約されている全録時間帯のうち録画開始時刻「１９：００」と録画終了時刻「２２：００」に、番組ＩＤ「３００６２」の番組「特番Ｃ」の放送がそれぞれ跨るため、そのチャンネルの録画開始時刻を番組「特番Ｃ」の放送開始時刻「１８：３０」に早めて遡及録画の予約が設定され、録画終了時刻を番組「特番Ｃ」の放送終了時刻「２３：００」に遅らせて延長録画の予約が設定されている。
【００４８】
この他、記憶装置６７には、ユーザがチャンネル（または番組名）と日時とを指定して番組単位で録画する個別番組予約録画のための録画予約テーブル（図示せず）なども保持（記憶）される。録画予約情報には、番組ＩＤ、タイトル、チャンネル、記録フォーマット、録画時間帯（録画開始時刻、録画終了時刻）などが含まれる。
【００４９】
図５に示すように、録画情報テーブル６７ｃには、記憶装置６、７に実際に録画された番組の録画内容に関する属性情報が記憶される。
【００５０】
この例では、番組ＩＤに対応して、番組のタイトル、録画日、ＥＰＧ上の番組の放送時間（放送開始時刻、放送終了時刻）、全録の番組の録画時間（録画開始時刻、録画終了時刻）、成立フラグなどが記憶されている。この他、録画情報テーブル６７ｃには、チャンネル、記録フォーマット、番組欄のテキストデータなども記憶される。
【００５１】
また、記憶装置６７には、番組がコンテンツとして不成立（不完全）となる条件が予め記憶されている。条件の一例としては、例えば番組が実際に録画された実際の時間帯（録画開始時刻、録画終了時刻）と番組を録画予約した電子番組表上での番組の放送時間帯（放送開始時刻、放送終了時刻）とが不一致である場合、または許容値が設定されている場合は不一致の時間差が許容値以上の場合（録画開始時刻や録画終了時刻に時間のずれが一定時間以上生じた場合）である。
【００５２】
この他、条件としては、例えば番組が放送中に電波障害などで番組の一部に未録画の部分が含まれる場合、番組の録画中に、録画に影響を与えるユーザ操作があった場合などである。録画に影響を与えるユーザ操作とは、例えばタイムシフトマシン録画の設定を番組の途中で「利用する」から「利用しない」に切り替えたとき、また、その逆のとき、または録画中に録画モードを変更したとき、などである。
【００５３】
また、ハードウエア的な不具合の条件もある。例えばＢ−ＣＡＳカードが未挿入である場合、アンテナが未接続である場合、受信不良、録画禁止番組が録画された場合、有料放送の未契約番組の一部が再生できる状態で録画された場合、のいずれかの条件も含まれる。
【００５４】
また、記憶装置６７は、例えば有料チャンネルの契約情報やＣＰＵ５２（主制御ブロック５１）が参照するアップデート情報およびアップデート情報に対応するアップデートプログラムあるいはコピーコントロール情報、等の外部からの書き換え可能な情報を保持する。記憶装置６７は、例えばカード状もしくは携帯可能な任意の形状であって、録画再生装置１に設けたカードスロットから取り付け／取り外し可能であってもよい。
【００５５】
具体的には、この装置には、Ｂ−ＣＡＳカードなどの地上デジタル放送や有料放送などの視聴用の記憶媒体が装着されるカードスロットが設けられており、カードスロットに記憶媒体を装着して視聴可能になる。記憶媒体の着脱は、主制御ブロック５１により検出される。
【００５６】
主制御ブロック５１は、ＲＡＭ５４が提供する作業エリアにおいて、ＲＯＭ５３が保持する制御プログラムに基づき、ＣＰＵ５２の制御に従い、入力信号や制御信号に対応する処理を実行する。
【００５７】
ＣＰＵ５２（主制御ブロック５１）は、操作部６１からの操作情報（制御入力）や受信部６２が受信するリモコン７１からの操作情報（制御入力）に基づいて、記録再生処理部５６、番組情報取得部５７、番組表生成部５８および予約制御部５９を制御する。ＣＰＵ５２はまた、各種の設定情報や、ホームネットワークにおいてホームサーバーと接続する他のレコーダやテレビジョン装置に関する管理情報などをＮＶＭ５５に書き込む。
【００５８】
ＣＰＵ５２は、例えばユーザによる操作指示（制御入力）あるいは予約録画のための録画予約情報に基づいて記録再生処理部５６を制御し、映像デコーダ２２および音声デコーダ３２が出力する映像信号や音声信号などを、予め指定された側の記憶装置６、７に録画（記録）する。
【００５９】
ＣＰＵ５２は、ＮＶＭ５５もしくはＲＯＭ５３が保持するプログラムまたはアプリケーションあるいはＣＰＵ５２のファームウェアに従って番組情報取得部５７を制御し、番組に関連する、さまざまな情報（属性情報）を取得する。
【００６０】
番組情報取得部５７は、例えば信号処理部（ＴＳ分離部）１２が分離するＴＳに付属する制御情報のうちのＰＳＩ（Program Specific Information）またはＳＩ（Service Information）から番組の属性情報として、例えば視聴制限年齢情報やＥＰＧ（電子番組表）情報、あるいは再放送番組であること、などを取得する。ＥＰＧ（電子番組表）情報には、番組の放送開始時刻、放送終了時刻、番組のタイトル、番組の内容、出演者名などが含まれる。
【００６１】
また、番組情報取得部５７は、入力部１１が受信可能な全てのチャンネル（放送局）の番組について、例えば８日分、番組情報（放送スケジュール）を取得し、例えばＲＡＭ５４、ＮＶＭ５５あるいは記憶装置６７に記憶する。
【００６２】
記録再生処理部５６は、記憶装置６、７への映像信号や音声信号等の記録時には、映像信号や音声信号等を暗号化処理し、所定の記録フォーマットに変換する。記録再生処理部５６は、ユーザ操作に基づくリモコン７１などからの指示入力に応答して、記憶装置６、７から所望の映像信号や音声信号等を読み出して復号し、映像デコーダ２２および音声デコーダ３２に出力する。
【００６３】
記録再生処理部５６は、複数のチャンネルで放送される番組を録画することが可能であり、全録予約テーブル６７ａおよび補助予約テーブル６７ｂなどの録画予約情報を基に録画（以下これを「全録録画」または「タイムシフトマシン録画）と称す）を行う。
【００６４】
詳細には、記録再生処理部５６は、録画予約情報を参照して録画開始時刻に、予め設定された記憶装置６、７のいずれかに録画を開始し終了時刻に録画を終了する。記録再生処理部５６は、録画（記録）の際に、対象の番組に関する属性情報（録画した番組の録画情報）を記憶装置６７の録画情報テーブル６７ｃに記憶する。
【００６５】
つまり、記録再生処理部５６は、予め時間帯で録画予約された番組および／または補助予約テーブル６７ｂで録画時刻が指定された番組を記憶装置６、７に録画するとともに、録画（記録）された番組毎の属性情報を記憶装置６７に記憶する録画部として機能する。記憶装置６７は、録画（記録）された番組毎の属性情報である番組情報が記憶された番組情報記憶部として機能する。
【００６６】
属性情報は、番組ＩＤ、タイトル、チャンネル、記録フォーマット、時間帯（開始時刻、終了時刻）など、録画予約情報とほぼ同じであり、番組情報取得部５７が取得したＥＰＧ（電子番組表）情報の放送開始時刻および放送終了時刻と、属性情報の一部の、実際の録画開始時刻および録画終了時刻は、番組ＩＤ毎に録画情報テーブル６７ｃ（図５参照）に記録される。なお、録画情報テーブル６７ｃの内容については、図５の説明で後述する。
【００６７】
番組表生成部５８は、ユーザが番組視聴時または録画予約時に、ＥＰＧ（電子番組表）の表示操作がなされることにより、ＣＰＵ５２による制御の下で、番組情報取得部５７が取得したＥＰＧ（電子番組表）情報に基づき、ＯＳＤ処理部２４を経由してディスプレイ２６が表示する番組表表示のための番組表データ（ＥＰＧデータ）を生成する。生成された番組表データ（ＥＰＧデータ）は、ＯＳＤ処理部２４が番組表表示信号に変換し、表示制御部２５により出力される。
【００６８】
また、番組表生成部５８は、ユーザが番組再生時などにタイムシフトマシン過去番組表表示操作がなされることにより、番組情報取得部５７が取得した録画済みの番組の属性情報と録画情報テーブル６７ｃ（図５参照）の録画情報に基づき、ＯＳＤ処理部２４を経由してディスプレイ２６が表示する録画済みの番組表表示のための番組表データ（タイムシフトマシン過去番組表データ）を生成する。
【００６９】
番組表生成部５８は、番組表データを生成する際に、そのデータに含まれる番組欄のうち条件を満たした、録画情報テーブル６７ｃの成立フラグが“１”の番組の番組欄に、番組がコンテンツとして不成立（不完全）であることを示す目印（例えば三角形のマーク、エクステンションマークなどの符号、キャラクタなど）を付与し表示する。
【００７０】
ＯＳＤ処理部２４は、タイムシフトマシン過去番組表データを番組表表示信号に変換し、表示制御部２５を通じてディスプレイ２６に出力しディスプレイ２６の画面にタイムシフトマシン過去番組表３０１（図９参照）として表示する。
【００７１】
タイムシフトマシン過去番組表データは、録画済みの番組の属性情報（番組を録画したときの番組の情報）が保持されている録画情報テーブル６７ｃの録画情報を基に、再生可能な録画済み番組のタイトル（番組名）を含む番組の情報（番組の内容、出演者などのＥＰＧ（電子番組表）情報の一部の情報）を表示する一つ以上の番組欄２２１、２２２、２２３…（図９参照）などを有する録画済み番組の再生用のリストである。図９に示すタイムシフトマシン過去番組表３０１は、そのリストを縦横の番組欄で表形式にした表示形態の一例である。タイムシフトマシン過去番組表３０１では、全録録画で録画した時間帯から、はみ出した番組についても枠線３１０で示すように正常に録画されている。
【００７２】
一方、この録画再生装置１では、録画時刻の遡及や延長によって救済される番組があるものの、中には、番組不成立の条件を満たしてコンテンツとして不成立になる番組が録画されることもある。
この場合、図１１に示すように、複数の番組欄のうち、条件を満たした番組の番組欄３０２に、番組がコンテンツとして不成立であることを示す目印３０３が付与される。
【００７３】
番組判定部６０は、記憶装置６７に記憶されている番組不成立の条件を読み出し、録画された番組が読み出した条件を満たすか否かを判定し、判定結果のフラグを録画情報テーブル６７ｃの該当番組ＩＤの成立フラグの欄に記録する。フラグとして、番組不成立の条件を満たす場合は“１”、条件を満たさない場合は“０”を記録する。なお、条件は、記憶装置６７には記憶せずに、番組判定部６０に予め設定しておいてもよい。この場合、番組判定部６０は、録画された番組の録画情報が予め設定された条件を満たすか否かを判定することで番組がコンテンツとして不成立（不完全）か成立しているかを判定する。
【００７４】
予約制御部５９は、ＣＰＵ５２による制御の下で、番組表生成部５８が生成したＥＰＧデータが、ＯＳＤ処理部２４を介してディスプレイ２６に出力されるＥＰＧ（番組表）での個別番組のユーザ指示（操作入力）に基づいて、当該番組の予約録画のための録画予約を受け付け、録画予約情報を生成し記憶装置６７に記憶する。具体的には、予約制御部５９は、操作入力された時間帯を全録予約テーブル６７ａ（図２参照）に設定する。この他、録画予約情報を、ＲＡＭ５４やＮＶＭ５５に記憶してもよい。
【００７５】
この全録予約テーブル６７ａの録画予約情報は、記録再生処理部５６が全チャンネルの番組を一括して録画する時間帯（録画開始時刻、録画終了時刻）である。オプションとして一部のチャンネルを録画しないように選択することもできる。また、全録予約テーブル６７ａの録画予約情報は、開始時刻と終了時刻の対を一つ用いた時間帯の例を示したが、テーブルを複数用意し時間帯を複数設定してもよい。
【００７６】
また、予約制御部５９は、全録録画予約（第１録画予約情報）の時間帯のうち補正が必要な番組の録画予約情報を補助予約テーブル６７ｂに設定する。補助予約テーブル６７ｂには、全録録画予約（第１録画予約情報）に対しチャンネル毎（番組毎）に予約録画の開始／終了を補正（補助）するための補助録画予約情報（第２録画予約情報）が補助予約テーブル６７ｂに記憶される。
【００７７】
詳細に説明すると、予約制御部５９は、起動時または一定時間毎に番組情報取得部５７が取得した放送予定の番組データ（ＥＰＧ情報）より番組の放送情報（番組の放送開始時刻、放送終了時刻）を抽出し、全録録画予約の時間帯の録画開始時刻および／または録画終了時刻と比較し、全録録画予約の時間帯に放送が跨る番組の予約録画の録画開始時刻および／または録画終了時刻を、当該番組の放送時刻に補正した補助録画予約情報（第２録画予約情報）を生成し、補助予約テーブル６７ｂに記憶する。
【００７８】
予約制御部５９は、全録予約テーブル６７ａに設定されている時間帯のうち録画開始時刻より前に始まる番組の放送開始時刻を、録画開始時刻として設定した補助録画予約情報を生成し補助予約テーブル６７ｂに設定する。
【００７９】
また、予約制御部５９は、全録予約テーブル６７ａに設定されている時間帯のうち録画終了時刻より後に終わる番組の放送終了時刻を、録画終了時刻として設定した補助録画予約情報を生成し補助予約テーブル６７ｂに設定する。
【００８０】
予約制御部５９は、全録予約テーブル６７ａの時間帯の録画時刻と番組の放送時刻とのずれが生じている差分の時間が予め設定された許容時間（閾値時間Ｍ）以内の場合、全録予約テーブル６７ａの予約録画情報（録画開始時刻、録画終了時刻）を補正する補助録画予約情報を生成し、許容時間を超える場合は補助録画予約情報を生成しない。
【００８１】
なお、上記記録再生処理部５６、番組情報取得部５７、番組表生成部５８、予約制御部５９および番組判定部６０のそれぞれ、あるいは少なくとも１つ、もしくは任意数のいくつかは、ＣＰＵ５２のファームウェアであってもよい。
【００８２】
ＣＰＵ５２は、ディスプレイ２６に表示される画面において、特定の機能に対する操作入力を受け付けるカラーボタン表示（［青］ボタン表示、［赤］ボタン表示、［緑］ボタン表示および［黄］ボタン表示：図示せず）のそれぞれに対応するリモコン７１からの操作入力を受け付ける。すなわち、ＣＰＵ５２は、リモコン７１の［青］キー７１Ｂ、［赤］キー７１Ｒ、［緑］キー７１Ｇおよび［黄］キー７１Ｙの何れかのキーの操作を画面表示された特定の色のボタンに対応する指示と判断し、そのキーの操作入力に対応する指示を受けつける。
【００８３】
ここで、番組表生成部５８により生成される２つの番組表（放送視聴および録画予約用のものと録画済み番組の視聴用のもの）について説明する。
図３は、番組表生成部５８が生成する番組表データ（ＥＰＧ情報）に対応するＥＰＧ（現在および今後放送される番組の番組表：未来番組表）の表示例を示す。
【００８４】
図３に示すように、ＥＰＧ２００は、所定数のチャンネル（放送局）が放送する番組を表示するチャンネル表示欄２０１−２０６（チャンネル軸）、時間帯の表示欄２１０（時間軸）などが設けられている。この他、図示しないが、ＥＰＧ２０１には、日付切替タブ、色別のページ切換ボタン（［青］ボタン、［赤］ボタン、［緑］ボタン、［黄］ボタン）および現在日時表示欄などが設けられている。チャンネルと時間帯で指定される表示欄が番組欄であり番組セルともいう。
【００８５】
この例では、全録予約テーブル６７ａに設定されている時間帯が１９：００から２２：００のため、ＥＰＧ２００の枠線２２０の範囲が全録対象となっており、その時間帯の番組はすべて録画される。
【００８６】
この中で、番組欄２２１〜２２３の番組の放送時間が時間帯を跨いでおり、そのままの全録録画では、番組の冒頭および／または末尾が録画されなくなり、頭切れ、尻切れを起こすことになるが、本実施形態では、予約制御部５９が補助予約テーブル６７ｂを自動設定することで、頭切れ、尻切れの発生を防止する。
【００８７】
この他、ＥＰＧ２００は、リモコン７１により上記番組欄の中で所望の番組欄を選択操作することで、次のメニューが表示されるので、そのメニューから視聴または録画予約の操作をすることにより当該番組の視聴または録画予約（個別録画予約）が行える。
【００８８】
ここで、図６、図７を参照して全録録画の設定について説明する。図６はタイムシフトマシン録画設定画面９０の一例を示す図、図７はタイムシフトマシン録画設定画面９０にリンクされた閾値設定メニュー画面を示す図である。
図６に示すように、タイムシフトマシン録画設定画面９０には、横方向に日曜日〜土曜日までの曜日列が設けられ、縦方向に０時間〜２３時間までの時間行が設けられている。これら曜日列と時間行が交わるボックスをユーザがリモコン７１で選択することで曜日毎に全録録画の時間帯を指定できる。
【００８９】
画面下部には、録画閾値の設定ボタン９３および設定終了ボタン９４が設けられている。録画閾値の設定ボタン９３は、ユーザが録画を許容する閾値の時間（閾値時間：Ｍ）を設定（指定）するためのボタンであり、このボタン９３を選択操作することで、図７の閾値設定メニュー画面９６が表示される。
【００９０】
設定終了ボタン９４は、現在の設定を保存し、設定画面を終了させるためのボタンである。画面右端には、スライドバー９５が設けられている。このスライドバー９５をスライド操作することで時間行の画面からはみ出す部分を表示させることができる。
【００９１】
この例では、ユーザがリモコン７１を用いて、日曜日から土曜日までの１９：００を録画開始時刻、２２：００を録画終了時刻に設定したものとする。ここでは、全ての曜日で同じ時間を設定しているが、曜日毎に録画開始時刻および録画終了時刻を設定することも可能である。
【００９２】
また、１：００から１時間の時間帯９２（網掛けの枠）は、システムメンテナンス時間である。これは、録画した番組や自動削除した番組を整理し、配信可能なように再構築するなどのメンテナンスを実行する時間である。このシステムメンテナンス時間は、他のメニュー画面からユーザが設定を変更することが可能である。
【００９３】
図７は録画閾値の設定ボタン９３にリンクされた閾値設定メニュー画面９６である。
上記タイムシフトマシン録画設定画面９０で録画閾値の設定ボタン９３が押された場合、閾値設定メニュー画面９６が表示される。閾値設定メニュー画面９６は、予約制御部５９により表示される。この閾値設定メニュー画面９６は、ユーザが所望の「閾値時間」を選択し設定するための画面である。
【００９４】
この閾値設定メニュー画面９６には、録画時間の許容値である閾値時間をユーザが選択して指定するためのいくつか設定項目とこれら設定項目の中から所望の設定項目を指定するためのラジオボタン９７と最下段に設けられた設定終了ボタン９８とが表示される。
【００９５】
ユーザが指定したラジオボタン９７で所望の「閾値時間」の指定が可能であり、色が変わっているラジオボタン９７が指定されたものである。この例では、「２．前後３０分以内（固定）」が設定されているものとする。この閾値時間の設定値は、記憶装置６７に記憶される。閾値時間の設定値は、予約制御部５９により読み出されて補助録画予約情報を生成する際の条件とされる。
【００９６】
設定項目「１．」〜「３．」は、前後各Ｍ分以内（固定）の閾値を設定できる。設定項目「１．」はＭ分として前後１０分以内、設定項目「２．」はＭ分として前後３０分以内、設定項目「３．」はＭ分として前後６０分以内を指定する。これらの設定項目のいずれかを指定することで、全録録画を予約した録画開始時刻よりＭ分以内まで遡って該当チャンネル（番組）の録画を実行する。また録画終了時刻より、Ｍ分以内まで延長して該当チャンネル（番組）の録画を実行する。
【００９７】
設定項目の「４．」〜「６．」は、「前後合計Ｍ分以内」の閾値を設定でき、録画開始時刻より、遡って録画可能な時間と、録画終了時刻より、延長して録画可能な時間の合計がＭ分以内であれば、録画を実行する。
設定項目「７．」は、「各番組長で設定」の閾値が設定でき、録画開始時刻を跨る番組の長さに応じて、遡って録画する時間を決定する（例えば番組長の半分の時間）。同様に録画終了時刻を跨る番組の長さに応じて、延長録画する時間を決定する。
【００９８】
設定項目「８．」は、「録画時間帯長で設定」の閾値が設定できる。録画設定した時間帯の長さに比例して、録画する時間を決定する（例えば、３時間の時間帯であれば、３０分、５時間の時間帯であれば、５０分）。
【００９９】
設定項目「９．」は、「ユーザ設定」の閾値が設定でき、ユーザが閾値時間を自由に設定できる。
【０１００】
設定項目「１０．」は、許容時間としての閾値時間を設定しないこと、つまり「閾値なし」を指定する。ユーザが許容時間を指定しない場合の初期値は、この設定項目「１０．」の「閾値なし」が設定されている。
【０１０１】
設定終了ボタン９８は、現在の設定を保存し、設定画面を終了させ、前の画面に戻るためのボタンである。
【０１０２】
なお、この例では、ラジオボタン９７で選択する例としたが、この他、例えばプルダウンメニューの形式やその他の選択方法としてもよい。
【０１０３】
以下、図８のフローチャートを参照してこの録画再生装置１の録画動作を説明する。  
この録画再生装置１の場合、記録再生処理部５６は、起動時または所定時間（例えば１０分間隔）毎に記憶装置６７の全録予約テーブル６７ａおよび補助予約テーブル６７ｂの録画予約情報を読み込む（図８のステップＳ１０１）。
【０１０４】
また、番組情報取得部５７がＥＰＧ情報を取得する（ステップＳ１０２）。
【０１０５】
予約制御部５９は、取得したＥＰＧ情報より番組の放送情報（番組の開始時刻、終了時刻）を抽出し、読み込んだ全録録画予約情報の時間帯の録画開始時刻および／または録画終了時刻に放送が跨る番組があるか否かを確認する（ステップＳ１０３）。
【０１０６】
この確認の結果、時間帯の録画開始時刻および／または録画終了時刻に放送が跨る番組があった場合、予約録画の開始時刻および／または終了時刻を、当該番組の放送開始および／または終了時刻に補正した補助録画予約情報を生成し（ステップＳ１０４）、補助予約テーブル６７ｂに記憶する。
【０１０７】
そして、時刻が、全録予約テーブル６７ａおよび補助予約テーブル６７ｂなどの録画予約情報の録画開始時刻に達すると、記録再生処理部５６は、該当チャンネルの番組の録画を行う。すなわち、記録再生処理部５６は、録画予約情報を基に録画を行う（ステップＳ１０５）。この際、予め録画予約された番組は、記憶装置６、７に録画されるとともに、各番組の属性情報が記憶装置６７の録画情報テーブル６７ｃに記憶される。
【０１０８】
録画が終了すると、番組判定部６０は、記憶装置６７の番組の属性情報と番組不成立の条件を記憶装置６７から読み出して、録画された番組の属性情報と照合し、録画された番組が番組不成立の条件を満たすか否かを判定する（ステップＳ１０６）。なお、この判定動作は、録画中、常に行ってもよい。
【０１０９】
判定の結果、番組不成立の条件を満たさない場合（ステップＳ１０６のＮｏ）、番組判定部６０は、録画情報テーブル６７ｃの該当番組の番組ＩＤの成立フラグを“０”と記録する（ステップＳ１０７）。
【０１１０】
また、判定の結果、番組不成立の条件を満たした場合（ステップＳ１０６のＹｅｓ）、番組判定部６０は、録画情報テーブル６７ｃの該当番組の番組ＩＤの成立フラグを“１”と記録する（ステップＳ１０８）。
【０１１１】
以下、図９、図１０を参照して、録画再生装置１が録画したコンテンツ（録画済みの番組）をユーザが視聴する際の動作を説明する。図９は番組表生成部５８が生成する番組表データ（タイムシフトマシン過去番組表データ）に対応するタイムシフトマシン過去番組表（録画済みの番組の番組表：タイムシフトマシン過去番組表）の表示例を示す図、図１０はタイムシフトマシン過去番組表を生成および表示する動作を示すフローチャートである。
【０１１２】
ユーザが録画済みの番組を視聴する際に、ユーザはリモコン７１を操作して、タイムシフトマシン過去番組表３０１（図９参照）を表示させる指示を行う（図１０のステップＳ１１０）。
【０１１３】
録画再生装置１では、リモコン７１からの指示を受け付けると（ステップＳ１１１のＹｅｓ）、番組表生成部５８は、録画情報テーブル６７ｃを参照して全録録画番組の選択画面、つまりタイムシフトマシン過去番組表のデータを生成し（ステップＳ１１２）、ＯＳＤ処理部２４および表示制御部２５を通じてディスプレイ２６へ出力する（ステップＳ１１３）。
【０１１４】
これにより、ディスプレイ２６には、タイムシフトマシン過去番組表３０１（図９参照）が表示される。
【０１１５】
図９に示すように、タイムシフトマシン過去番組表３０１は、録画済み番組を再生するための番組を、縦軸（チャンネル）と横軸（時刻）でセル形式に表したものであり、一つ以上の番組欄を有する。すなわち、このタイムシフトマシン過去番組表３０１は、図３に示したＥＰＧ２００とほぼ同じ形態で過去の録画済み番組の番組欄を表示するものである。
【０１１６】
このタイムシフトマシン過去番組表３０１では、複数の番組欄の中から所望の番組欄をリモコン７１により選択することで、録画済みの番組を再生し視聴することができる。
【０１１７】
ここで、図１１、図１２を参照して、録画した番組の中でコンテンツとして不成立な番組があった場合の明示方法について説明する。  
録画再生装置１では、番組表生成部５８が、再生可能な録画済み番組の番組欄を生成する際に、録画情報テーブル６７ｃを参照し、番組欄のうち、不成立の条件を満たした成立フラグが“１”の番組の番組欄３０２に、番組がコンテンツとして不成立であることを示す目印３０３（図１１参照）を付与したタイムシフトマシン過去番組表データを生成する。
【０１１８】
ディスプレイ２６の画面に表示されたタイムシフトマシン過去番組表には、図１１に示すように、不成立の条件を満たした番組の番組欄３０２に目印３０３が表示されており、この目印３０３をユーザが見ると、その番組がコンテンツとして不成立である番組であることが一目で判る。
【０１１９】
なお、この例では、番組の一部が録画できてないときに該当番組欄３０２に三角の目印３０３を表示したが、この他、例えば任意の１番組全体が外的要因で中断となった場合は、図１２に示すように、該当する番組欄３０４に「＜（！）タイムシフトマシン録画できませんでした。＞」などのテキストメッセージ３０５を付与して表示してもよい。これにより、タイムシフトマシン過去番組表３０１において、全く録画できていない番組の番組欄が空白（歯抜け）になることがなくなり、全く録画できていない番組を他の不成立な番組と識別でき、ユーザが指定した録画時間帯において録画できていなかったことをユーザは知ることができる。
【０１２０】
上記実施形態では、図７に示した閾値設定メニュー画面９６で「１０．閾値設定なし」を設定した場合の動作を説明したが、以下では、図１３乃至図１６を参照して図７に示した閾値設定メニュー画面９６で各設定項目毎に設定された場合の動作を説明する。  
【０１２１】
まず、図１３のフローチャートを参照して、図７の閾値設定メニュー画面９６でラジオボタン９７が「●」に設定されている設定項目「２．前後各３０分以内（固定）」の場合の動作を説明する。なお、設定項目「１．」、「３．」の場合の動作は、閾値時間Ｍが１０分か６０分かの違いのため、設定項目「２．」の説明から閾値時間Ｍを読み変えればよく、設定項目「１．」、「３．」の説明は省略する。
【０１２２】
この録画再生装置１では、設定項目「２．」の閾値（許容条件）が設定されている場合、予約制御部５９は、図２の全録予約テーブル６７ａに設定されている全録時刻（録画開始時刻、録画終了時刻）とＥＰＧ情報から抽出した番組の放送情報とから、全録時刻に跨って放送される番組があるか否かを判定する（図１３のステップＳ２１１）。
【０１２３】
この判定の結果、全録時刻に跨って放送される番組がある場合、予約制御部５９は、記憶装置６７から予め設定されている閾値時間Ｍを読み出す（ステップＳ２１２）。
【０１２４】
続いて、予約制御部５９は、番組が放送される時刻が録画開始時刻の前か否かを判定する（ステップＳ２１３）。
【０１２５】
番組が放送される時刻が録画開始時刻の前の場合（ステップＳ２１３のＹｅｓ）、予約制御部５９は、番組が放送される時刻と録画開始時刻との差分の時間が、閾値時間Ｍ以内か否かを判定する（ステップＳ２１４）。
【０１２６】
この判定の結果、番組が放送される時刻と録画開始時刻との差分の時間が、閾値時間Ｍ以内の場合（ステップＳ２１４のＹｅｓ）、予約制御部５９は、当該番組の録画開始時刻を番組の放送開始時刻とするように補助録画予約情報を生成し、これを補助予約テーブル６７ｂに登録する（ステップＳ２１５）。
【０１２７】
また、判定の結果、番組が放送される時刻と録画開始時刻との差分の時間が、閾値時間Ｍを超える場合（ステップＳ２１４のＮｏ）、予約制御部５９は、予約録画情報はそのままにして、録画情報テーブル６７ｃに当該番組の録画情報を記録し、成立フラグの欄に、番組として不成立であることを示すフラグ「１」を設定する（ステップＳ２１６）。
【０１２８】
一方、ステップＳ２１３の判定結果、番組の放送が終了する時刻が録画終了時刻の後の場合（ステップＳ２１３のＮｏ、ステップＳ２１７のＹｅｓ）、予約制御部５９は、番組の放送が終了する時刻と録画終了時刻との差分の時間が、閾値時間Ｍ以内か否かを判定する（ステップＳ２１８）。
【０１２９】
この判定の結果、番組が終了する時刻と録画終了時刻との差分の時間が、閾値時間Ｍ以内の場合（ステップＳ２１８のＹｅｓ）、予約制御部５９は、当該番組の録画終了時刻を番組の放送終了時刻とするように補助録画予約情報を生成し、これを補助予約テーブル６７ｂに登録する（ステップＳ２１９）。
【０１３０】
上記の手順をすべてのチャンネルの番組について行い、すべてのチャンネルをチェックすると（ステップＳ２２０のＹｅｓ）、処理を終了する。
【０１３１】
次に、図１４のフローチャートを参照して、図７の閾値設定メニュー画面９６にある設定項目「４．前後合計２０分以内」が選定された場合の動作を説明する。なお、設定項目「５．」、「６．」の場合の動作は、閾値時間Ｍが３０分か６０分かの違いのため、設定項目「４．」の説明から閾値時間Ｍを読み変えればよく、設定項目「５．」、「６．」の説明は省略する。
【０１３２】
この録画再生装置１では、設定項目「４．」の閾値（許容条件）が設定されている場合、予約制御部５９は、図２の全録予約テーブル６７ａに設定されている全録時刻（録画開始時刻、録画終了時刻）とＥＰＧ情報から抽出した番組の放送情報とから、全録時刻に跨って放送される番組があるか否かを判定する（ステップＳ２３０）。
【０１３３】
この判定の結果、全録時刻に跨って放送される番組がある場合、予約制御部５９は、記憶装置６７から予め設定されている閾値時間Ｍを読み出し、これと共にＲＡＭ５４などのメモリに設定したカウンタの残り時間Ｒをリセット、つまり「０」に設定する（ステップＳ２３１）。
【０１３４】
続いて、予約制御部５９は、録画開始時刻よりも前に番組の放送が開始されるか否かを判定する（ステップＳ２３２）。
【０１３５】
この判定の結果、番組の放送が開始される時刻が録画開始時刻の前ではなく、録画開始時刻よりも前に番組が開始されない場合（ステップＳ２３２のＮｏ）、予約制御部５９は、残り時間Ｒに閾値時間Ｍを設定、つまりＲ＝Ｍとする（ステップＳ２３３）。
【０１３６】
また、上記ステップＳ２３２の判定の結果、録画開始時刻よりも前に番組が開始される場合（ステップＳ２３２のＹｅｓ）、続いて、予約制御部５９は、番組の放送が開始される時刻と録画開始時刻との差分の時間が、閾値時間Ｍ以内か否かを判定する。すなわち、録画開始時刻から遡ってＭ分以内に番組が開始するか否かを判定する（ステップＳ２３４）。
【０１３７】
この判定の結果、番組の放送が開始される時刻と録画開始時刻との差分の時間が、閾値時間Ｍ以内ではない場合、つまりＭ分以内に番組が開始しない場合（ステップＳ２３４のＮｏ）、予約制御部５９は、当該番組の録画情報テーブル６７ｃに当該番組ＩＤの新たなレコードを生成しそこに番組として不成立を示すフラグ「１」を設定する（ステップＳ２３５）。
【０１３８】
また、ステップＳ２３４の判定の結果、番組の放送が開始される時刻と録画開始時刻との差分の時間が、閾値時間Ｍ以内の場合、つまりＭ分以内に番組が開始する場合（ステップＳ２３４のＹｅｓ）、予約制御部５９は、当該番組の録画開始時刻を番組の放送開始時刻とするように補助録画予約情報を生成し、これを補助予約テーブル６７ｂに登録する。また、閾値時間Ｍ−（録画開始時刻−番組の放送開始時刻）の閾値時間Ｍの残り時間Ｒをカウンタに加算（設定）する（ステップＳ２３６）。
【０１３９】
そして、予約制御部５９は、カウンタに設定されている残り時間Ｒを確認する（ステップＳ２３７）。この確認により、残り時間Ｒが「０」でない場合（ステップＳ２３７のＮｏ）、つまり残り時間Ｒが残っていれば、次に、予約制御部５９は、録画終了時刻より後に番組の放送が終了するか否かを判定する（ステップＳ２３８）。
【０１４０】
この判定の結果、録画終了時刻より後に番組の放送が終了する場合（ステップＳ２３８のＹｅｓ）、予約制御部５９は、当該番組の放送が終了する時刻と録画終了時刻との差分の時間が、残り時間Ｒ分以内か否かを判定する。すなわち、録画終了時刻から遅れて残り時間Ｒ分以内に番組が終了するか否かを判定する（ステップＳ２３９）。
【０１４１】
この判定の結果、番組の放送が終了する時刻と録画終了時刻との差分の時間が、残り時間Ｒ分以内の場合、つまり残り時間Ｒ分以内に番組が終了する場合（ステップＳ２３９のＹｅｓ）、予約制御部５９は、当該番組の録画終了時刻を番組の放送終了時刻とするように補助録画予約情報を生成し、これを補助予約テーブル６７ｂに登録する（ステップＳ２４０）。
【０１４２】
上記ステップＳ２３９の判定の結果、番組の放送が終了する時刻と録画終了時刻との差分の時間が、残り時間Ｒ分以内ではない場合、つまり残り時間Ｒ分以内に番組が終了しない場合（ステップＳ２３９のＮｏ）、予約制御部５９は、当該番組の録画情報テーブル６７ｃに当該番組ＩＤの新たなレコードを生成しそこに番組として不成立を示すフラグ「１」を設定する（ステップＳ２４１）。
【０１４３】
上記の手順をすべてのチャンネルの番組について行い、すべてのチャンネルをチェックすると（ステップＳ２４２のＹｅｓ）、処理を終了する。
【０１４４】
図１５のフローチャートを参照して、図７の閾値設定メニュー画面９６で設定項目「７．各番組長で設定」の場合の動作を説明する。
【０１４５】
この録画再生装置１では、設定項目「７．」が設定されている場合、予約制御部５９は、図２の全録予約テーブル６７ａに設定されている全録時刻（録画開始時刻、録画終了時刻）とＥＰＧ情報から抽出した番組の放送情報とから、全録時刻に跨って放送される番組があるか否かを判定する（ステップＳ２５０）。
【０１４６】
この判定の結果、全録時刻に跨って放送される番組がある場合（ステップＳ２５０のＹｅｓ）、予約制御部５９は、番組の放送情報に含まれる番組の放送終了時間から放送開始時間を引いて当該番組の長さＬ（放送時間、単位は時間または分）を算出し、算出した当該番組の長さＬの半分の時間（Ｌ／２）を録画開始時刻から遡って録画を開始することが可能な許容時間、つまり番組放送開始時刻まで遡れる閾値時間Ｍとする（ステップＳ２５１）。
続いて、予約制御部５９は、全録時刻（録画開始時刻、録画終了時刻）とＥＰＧ情報から抽出した番組の放送情報とから、録画開始時刻に跨って放送される番組が、録画開始時刻よりも前に放送が開始されるか否かを判定する（ステップＳ２５２）。
【０１４７】
この判定の結果、当該番組の放送が録画開始時刻よりも前に開始される場合（ステップＳ２５２のＹｅｓ）、予約制御部５９は、番組の放送が開始される時刻と録画開始時刻との差分の時間が、閾値時間Ｍ以内か否かを判定する。つまり録画開始時刻から遡って番組の長さＬの１／２の閾値時間Ｍ以内に番組が開始するか否かを判定する（ステップＳ２５３）。
【０１４８】
判定の結果、番組の放送が開始される時刻と録画開始時刻との差分の時間が、閾値時間Ｍを超える場合、つまり閾値時間Ｍ分以内に番組が開始しない場合（ステップＳ２５３のＮｏ）、予約制御部５９は、予約録画情報はそのままにして（補助録画予約情報を生成することなく）、録画情報テーブル６７ｃに当該番組の録画情報を記録し、成立フラグの欄に、番組として不成立であることを示すフラグ「１」を設定する（ステップＳ２５４）。当該番組の録画情報を記録とは、当該番組の録画情報テーブル６７ｃに当該番組ＩＤの新たなレコードを生成しそこに番組として不成立を示すフラグ「１」を設定することをいう。
【０１４９】
また、ステップＳ２５３の判定の結果、番組の放送が開始される時刻と録画開始時刻との差分の時間が、閾値時間Ｍ以内の場合、つまり閾値時間Ｍ分以内に番組が開始する場合（ステップＳ２５３のＹｅｓ）、予約制御部５９は、当該番組の録画開始時刻を番組の放送開始時刻とするように補助録画予約情報を生成し、これを補助予約テーブル６７ｂに登録する（ステップＳ２５５）。
【０１５０】
一方、上記判定ステップＳ２５２における判定の結果、録画時刻を跨ぐ番組の放送が録画開始時刻よりも前に開始しない場合（ステップＳ２５２のＮｏ）、次に、予約制御部５９は、録画時刻を跨ぐ番組が、録画終了時刻よりも後に終了するか否かを確認する（ステップＳ２５６）。
【０１５１】
この確認の結果、録画終了時刻より後に番組の放送が終了する場合（ステップＳ２５６のＹｅｓ）、予約制御部５９は、番組の放送が終了する時刻と録画終了時刻との差分の時間が、Ｌ／２の閾値時間Ｍ分以内か否かを判定する（ステップＳ２５７）。
【０１５２】
この判定の結果、番組の放送が終了する時刻と録画終了時刻との差分の時間が、閾値時間Ｍ以内の場合（ステップＳ２５７のＹｅｓ）、予約制御部５９は、当該番組の録画終了時刻を番組の放送終了時刻とするように補助録画予約情報を生成し、これを補助予約テーブル６７ｂに登録する（ステップＳ２５８）。
【０１５３】
なお、上記ステップＳ２５７の判定の結果、番組の放送が終了する時刻と録画終了時刻との差分の時間が、閾値時間Ｍ分を超える場合、つまり閾値時間Ｍ以内に番組の放送が終了しない場合（ステップＳ２５７のＮｏ）、予約制御部５９は、補助録画予約情報を生成することなく、上記ステップＳ２５４のフラグ設定を行う。
【０１５４】
そして、すべてのチャンネルの番組について録画時刻を跨ぐ番組をチェックすると（ステップＳ２５９のＹｅｓ）、処理を終了する。
【０１５５】
ここで、遡及録画または延長録画の具体例について説明する。
番組が例えば２時間番組（Ｌ＝１２０分）であるならば、閾値時間Ｍ＝１２０（Ｌ）×（１／２）＝６０分までが遡及録画または延長録画の対象となる。なお、閾値時間Ｍを超える場合は、従来通り録画し、録画時間は追従しない。
【０１５６】
この場合、図３のＥＰＧ２００において、「バラエティＡ」の番組２２１の開始時刻は、ＰＭ６：５０開始であり、番組の長さＬは、７０分、Ｍ＝７０×（１／２）＝３５分までとなり、「閾値」の範囲内のため、本実施形態の録画再生装置１では、頭切れを防ぐことができる。
【０１５７】
また、図３のＥＰＧ２００において、「映画Ｂ」の番組２２２の終了時刻は、ＰＭ１０：３０終了であり、番組の長さＬは、１５０分、Ｍ＝１５０×（１／２）＝７５分までとなり、「閾値」の範囲内のため、本実施形態の録画再生装置１では、尻切れを防ぐことができる。
【０１５８】
同様に、図３のＥＰＧ２００において、「特番Ｃ」の番組２２３の放送開始時刻は、ＰＭ６：３０開始、放送終了時刻はＰＭ１１：００終了であり、番組の長さＬは、２７０分、Ｍ＝２７０×（１／２）＝１３５分までとなり、閾値時間Ｍの範囲内のため、本実施形態の録画再生装置１では、頭切れ及び尻切れを防ぐことができる。
【０１５９】
次に、図１６のフローチャートを参照して図７の閾値設定メニュー画面９６にある設定項目「８．録画時間帯長で設定」が選定された場合の動作を説明する。
【０１６０】
この録画再生装置１では、設定項目「８．」が設定されている場合、予約制御部５９は、図２の全録予約テーブル６７ａに設定されている全録時刻（録画開始時刻、録画終了時刻）とＥＰＧ情報から抽出した番組の放送情報とから、全録時刻に跨って放送される番組があるか否かを判定する（ステップＳ２６０）。
【０１６１】
この判定の結果、全録時刻に跨って放送される番組がある場合、予約制御部５９は、録画時間帯長で設定するために、録画終了時刻から録画開始時刻を差し引いて、その値を１／６倍して閾値時間Ｍを算出する。これと共にメモリに設定したカウンタの残り時間Ｒをリセット、つまり「０」に設定する（ステップＳ２６１）。
【０１６２】
例えば、録画開始時刻１９：００、録画終了時刻１０：００の場合は、録画終了時刻から録画開始時刻を差し引いた値が、３時間であり、これを１／６倍すると、１／２時間、つまり３０分となり、これが閾値時間Ｍとして設定される。
【０１６３】
続いて、予約制御部５９は、録画開始時刻よりも前に番組の放送が開始されるか否かを判定する（ステップＳ２６２）。
【０１６４】
この判定の結果、録画開始時刻よりも前に番組の放送が開始されない場合（ステップＳ２６２のＮｏ）、予約制御部５９は、残り時間Ｒに閾値時間Ｍを設定、つまりＲ＝Ｍとする（ステップＳ２６３）。
【０１６５】
また、上記ステップＳ２６２の判定の結果、録画開始時刻よりも前に番組の放送が開始される場合（ステップＳ２６２のＹｅｓ）、続いて、予約制御部５９は、番組の放送が開始される時刻と録画開始時刻との差分の時間が、閾値時間Ｍ分以内か否かを判定する。すなわち、録画開始時刻から遡ってＭ分以内に番組が開始するか否かを判定する（ステップＳ２６４）。
【０１６６】
この判定の結果、番組の放送が開始される時刻と録画開始時刻との差分の時間が、閾値時間Ｍ以内ではない場合、つまり録画開始時刻から遡ってＭ分以内に番組が開始しない場合（ステップＳ２６４のＮｏ）、予約制御部５９は、当該番組の録画情報テーブル６７ｃに当該番組ＩＤの新たなレコードを生成しそこに番組として不成立を示すフラグ「１」を設定する（ステップＳ２６５）。
【０１６７】
また、ステップＳ２６４の判定の結果、番組の放送が開始される時刻と録画開始時刻との差分の時間が、閾値時間Ｍ以内の場合、つまり録画開始時刻から遡ってＭ分以内に番組が開始する場合（ステップＳ２６４のＹｅｓ）、予約制御部５９は、当該番組の録画開始時刻を番組の放送開始時刻とするように補助録画予約情報を生成し、これを補助予約テーブル６７ｂに登録する。また、閾値時間Ｍ−（録画開始時刻−番組の放送開始時刻）の閾値時間Ｍの残り時間Ｒをカウンタに加算（設定）する（ステップＳ２６６）。
【０１６８】
そして、予約制御部５９は、カウンタに設定されている残り時間Ｒを確認する（ステップＳ２６７）。この確認により、残り時間Ｒが「０」でない場合（ステップＳ２６７のＮｏ）、つまり残り時間Ｒが残っていれば、次に、予約制御部５９は、録画終了時刻よりも後に番組の放送が終了するか否かを判定する。すなわち、録画終了時刻よりも後に番組が終了するか否かを判定する（ステップＳ２６８）。
【０１６９】
この判定の結果、録画終了時刻より後に番組の放送が終了する場合（ステップＳ２６８のＹｅｓ）、予約制御部５９は、当該番組の放送が終了する時刻と録画終了時刻との差分の時間が、残り時間Ｒ以内か否かを判定する。すなわち、録画終了時刻から遅れて残り時間Ｒ分以内に番組が終了するか否かを判定する（ステップＳ２６９）。
【０１７０】
判定の結果、番組の放送が終了する時刻と録画終了時刻との差分の時間が、残り時間Ｒ分以内の場合、つまり残り時間Ｒ以内に番組が終了する場合（ステップＳ２６９のＹｅｓ）、予約制御部５９は、当該番組の録画終了時刻を番組の放送終了時刻とするように補助録画予約情報を生成し、これを補助予約テーブル６７ｂに登録する（ステップＳ２７０）。
【０１７１】
また、ステップＳ２６９の判定の結果、番組の放送が終了する時刻と録画終了時刻との差分の時間が、残り時間Ｒ分以内ではなく録画終了時刻から番組の放送終了時刻までの時間が残り時間Ｒを超える場合（ステップＳ２６９のＮｏ）、予約制御部５９は、補助録画予約情報を生成せずに当該番組の録画情報テーブル６７ｃに当該番組ＩＤの新たなレコードを生成しそこに番組として不成立を示すフラグ「１」を設定する（ステップＳ２７１）。
【０１７２】
上記の手順をすべてのチャンネルの番組について行い、すべてのチャンネルをチェックすると（ステップＳ２７２のＹｅｓ）、処理を終了する。
【０１７３】
以上説明したようにこの録画再生装置１によれば、予め全録録画で指定した録画開始時刻より前に始まる番組の放送情報を基に、番組開始時刻から遡って録画を開始し、また予め全録録画で指定した録画終了時刻より後に終わる番組の放送情報を基に、番組終了時刻まで延長して録画を終了するので、番組の頭切れ及び尻切れを防止することができ、ユーザの不満を減少させる効果が期待できる。
【０１７４】
また、本実施形態によれば、予め定めた遡及時間および／または延長時間を「閾値時間Ｍ」として、対象番組が予め設定した録画開始時刻を遡及して録画可能か、および／または予め設定した録画終了時刻を延長して録画可能か、を判定して録画するので、ユーザが全録録画を設定した時間帯よりも大きく逸脱した時間で録画されることなく、さらにＨＤＤ等の記録媒体の容量を圧迫するなどの不都合が生じることがなくなる。
【０１７５】
さらに、本実施形態によれば、対象番組の番組長Ｌや録画時間帯長などを計算基準値として閾値時間Ｍを求め、Ｍ分以内に収まる番組を追従して録画するので、ユーザに無駄な手間を掛けさせることなく、時間帯録画から少しはみ出す番組を遡及録画または延長録画できる。これにより、全録機能でユーザが設定した録画開始時刻及び録画終了時刻を跨る番組を、許容時間（閾値時間Ｍ）を設定して遡及録画または延長録画することで、ユーザが設定した録画開始時刻及び録画終了時刻を著しく逸脱した番組を排除し、かつ軽微な頭切れや尻切れの番組を救済することができる。
【０１７６】
また、閾値時間Ｍを設定しておくことで、閾値時間Ｍを超える番組については、遡及録画または延長録画しないので、コンテンツとして不成立な番組が録画されることがあるが、電波障害の影響で一部が録画されなかった番組や、録画中に不用意に操作された番組などとともに、コンテンツとして不成立な番組が録画された場合、録画済みの番組を再生する指示操作があると、番組表生成部５８は、番組の属性情報と録画情報テーブル６７ｃの成立フラグを基に、録画済みの番組の番組欄のうち条件を満たす番組（コンテンツとして不成立な番組）の番組欄３０２に、番組が不成立であることを示す目印３０３を付与したタイムシフトマシン過去番組表３０１を生成し表示するので、番組の冒頭や末尾が欠けたり、番組内で信号不良により欠けたり、番組の一部または全部が録画できていない番組（コンテンツとして不成立な番組）を、ユーザは、タイムシフトマシン過去番組表３０１の番組欄３０２を見ただけで、番組を視聴することなくユーザが把握することができる。
【０１７７】
なお、上記実施形態では、三角形の目印３０３を番組欄３０２の右下角に付与した例を示したが、この他、例えば番組がコンテンツとして不成立となった原因（ユーザ操作か録画設定か）に応じて目印３０３の表示形態を変更（目印３０３の位置を変えたり、番組名や番組情報などの文字をグレーアウトしたり、目印３０３の色を変えるなど）してもよい。
【０１７８】
例えば番組が不成立となった原因が録画設定の時刻不一致である場合、録画終了時刻が不一致で尻切れの番組の場合、目印３０３を番組欄３０２の右角に付与し、録画開始時刻が不一致で頭切れの番組の場合は、目印３０３を番組欄３０２の左角に付与するようにしてもよい。また、頭切れまたは尻切れのいずれかで不成立と判定された番組の番組欄３０２の左右両方の角の位置に目印３０３を付与してもよい。
【０１７９】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。上記実施形態やその変形は、発明の範囲や要旨に含まれるとともに、特許請求の範囲に記載された発明とその均等の範囲に含まれる。
【０１８０】
また上記実施形態に示した録画再生装置１の各構成要素を、コンピュータのハードディスク装置などのストレージにインストールしたプログラムで実現してもよく、また上記プログラムを、コンピュータ読取可能な電子媒体：electronic mediaに記憶しておき、プログラムを電子媒体からコンピュータに読み取らせることで本発明の機能をコンピュータが実現するようにしてもよい。
【０１８１】
電子媒体としては、例えばＣＤ−ＲＯＭ等の記録媒体やフラッシュメモリ、リムーバブルメディア：Removable media等が含まれる。さらに、ネットワークを介して接続した異なるコンピュータに構成要素を分散して記憶し、各構成要素を機能させたコンピュータ間で通信することで実現してもよい。
【符号の説明】
【０１８２】
１…録画再生装置、６、７…記憶装置、１１…入力部、２１…映像処理ブロック、２２…映像デコーダ、２３…映像処理部、２４…ＯＳＤ処理部、２５…表示制御部、２６…ディスプレイ、２７…出力端、３１…音声処理ブロック、３２…音声デコーダ、３３…音声処理部、３４…遅延部、３５…Ｄ−Ａコンバータ、３６…スピーカ、３７…出力端、５１…主制御ブロック、５６…記録再生処理部、５７…番組情報取得部、５８…番組表生成部、５９…予約制御部、６０…番組判定部、６１…操作部、６２…受信部、６３…通信インターフェース、６４…ネットワーク制御部、６５、６６…ＵＳＢインターフェース、６７…記憶装置、６７ａ…全録予約テーブル、６７ｂ…補助予約テーブル、６７ｃ…録画情報テーブル、６８…ＨＤＭＩインターフェース、７１…リモートコントローラ（リモコン）、８１…通信ユニット、２００…ＥＰＧ、３０１…タイムシフトマシン過去番組表、３０２…番組欄、３０３…目印、３０４…番組欄、３０５…テキストメッセージ。
【図１】
2020088541.tif 000003
【図２】
2020088541.tif 000004
【図３】
2020088541.tif 000005
【図４】
2020088541.tif 000006
【図５】
2020088541.tif 000007
【図６】
2020088541.tif 000008
【図７】
2020088541.tif 000009
【図８】
2020088541.tif 000010
【図９】
2020088541.tif 000011
【図１０】
2020088541.tif 000012
【図１１】
2020088541.tif 000013
【図１２】
2020088541.tif 000014
【図１３】
2020088541.tif 000015
【図１４】
2020088541.tif 000016
【図１５】
2020088541.tif 000017
【図１６】
2020088541.tif 000018